【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
番組を送信（送信は電波やケーブルテレビ用ケーブルによるものだけでなくインターネットなどの通信回線によるものをも含む）する、又は前記番組を受信または記録した上で出力する、番組送信等装置において、
番組の途中で又はその進行の全体に渡って「番組の本体画像と並存する並存型ＣＭ画像」が出力されるように、番組を送信、生成、加工または出力する番組送信等手段、を含むことを特徴とする番組送信等装置。
【請求項２】
番組を送信（送信は電波やケーブルテレビ用ケーブルによるものだけでなくインターネットなどの通信回線によるものをも含む）する、又は前記番組を受信または記録した上で出力する、番組送信等装置において、
番組の途中で、少なくとも「番組の本体画像に代わる挿入型ＣＭ画像」が、前記本体画像が一時的に中断される形で出力されるような第１の番組のデータを、送信、生成、加工または出力する第１の番組送信等手段と、
前記第１の番組送信等手段により送信等される番組の本体画像の対象と同じものを対象とする本体画像を含む番組であって、その番組の途中で又はその進行の全体に渡って、少なくとも「番組の本体画像と並存する並存型ＣＭ画像」が、前記本体画像の中の一部又は前記本体画像の外周部の少なくとも一部に、本体画像と並存的または並行的に、一時的に又は常時、出力されるような第２の番組のデータを、送信、生成、加工または出力する第２の番組送信等手段と、
を含むことを特徴とする番組送信等装置。
【請求項３】
番組の途中で、少なくとも「番組の本体画像に代わる挿入型ＣＭ画像」を、前記本体画像が一時的に中断される形で出力させるように構成された第１の番組のデータを、ユーザー側に送信（送信は電波やケーブルテレビ用ケーブルによるものだけでなくインターネットなどの通信回線によるものをも含む）する、又は受信または記録した上で画面に出力する、第１の番組送信等手段と、
前記第１の送信等手段により送信される番組の本体画像の対象と同じものを対象とする本体画像を含む番組のデータであって、その番組の途中で又はその進行の全体に渡って、少なくとも「番組の本体画像と並存する並存型ＣＭ画像」を、前記本体画像の中の一部又は前記本体画像の外周部の少なくとも一部に、本体画像と並存的または並行的に、一時的に又は常時、出力させるように構成された第２の番組のデータを、ユーザー側に送信（送信は電波やケーブルテレビ用ケーブルによるものだけでなくインターネットなどの通信回線によるものをも含む）する、又は受信または記録した上で画面に出力する、第２の番組送信等手段と、
前記第１の番組送信等手段により送信等される第１の番組と前記第２の番組送信等手段により送信等される第２の番組とが、略同時に又は相前後して又は互いに関連付けられて視聴ユーザー側に送信または出力されるように、前記第１の番組送信等手段及び／又は前記第２の番組送信等手段を制御する制御手段と、
を含むことを特徴とするＣＭ画像を含む番組の送信システム。
【請求項４】
番組を送信（送信は電波やケーブルテレビ用ケーブルによるものだけでなくインターネットなどの通信回線によるものをも含む）する、又は前記番組を受信または記録した上で出力する、番組送信等装置において、
前記番組の途中で、少なくとも「番組の本体画像に代わる挿入型ＣＭ画像」を前記本体画像が一時的に中断される形で出力させるＣＭ挿入手段と、
前記番組の途中で又はその進行の全体に渡って、少なくとも「番組の本体画像と並存する並存型ＣＭ画像」を、前記本体画像の中の一部又は前記本体画像の外側周囲近傍部分の少なくとも一部に、前記本体画像と並存的または並行的に、一時的に又は常時、出力させるＣＭ並存出力手段と、
前記番組に関して、前記ＣＭ挿入手段による挿入型ＣＭの挿入を行うか又は前記ＣＭ並存出力手段による並存型ＣＭの出力を行うかを選択または切り替えるための選択等手段と、
を備えたことを特徴とする、番組へのＣＭ提供装置。
【請求項５】
「スポーツの試合やコンサート会場の中継番組などのような番組」のデータを、送信（送信は電波やケーブルテレビ用ケーブルによるものだけでなくインターネットなどの通信回線によるものをも含む）する、又は前記データを受信または記録した上で出力する、番組送信等装置において、
前記番組の途中で、少なくとも「番組の本体画像に代わる挿入型ＣＭ画像」が前記本体画像が一時的に中断される形で挿入されるように、前記挿入型ＣＭ画像を挿入させることを又はその挿入のタイミングを、指示するＣＭ挿入指示手段と、
前記番組の途中で又はその進行の全体に渡って、少なくとも「番組の本体画像と並存する並存型ＣＭ画像」を、前記本体画像の中の一部または前記本体画像の外側周囲近傍部分の少なくとも一部に、前記本体画像と並行的または並存的に、一時的に又は常時、出力させることを又はその出力のタイミングを、指示するＣＭ並存出力指示手段と、
前記ＣＭ挿入指示手段からの出力、及び／又は前記ＣＭ並存出力指示手段からの出力に基づいて、前記番組において、「本体画像に代わる挿入型ＣＭ画像」及び／又は「本体画像と並存する並存型ＣＭ画像」が表示されるように、前記番組を送信、生成、加工または出力する番組送信等手段と、
を備えたことを特徴とする番組送信等装置。
【請求項６】
番組又はそのデータを送信（送信は電波やケーブルテレビ用ケーブルによるものだけでなくインターネットなどの通信回線によるものをも含む）する、又は前記番組又はそのデータを受信または記録した上で出力する、番組送信等装置において、
前記番組の途中で、少なくとも「番組の本体画像に代わる挿入型ＣＭ画像」を、前記本体画像を一時的に中断させる形で挿入するＣＭ挿入手段と、
前記番組の途中で又はその進行の全体に渡って、少なくとも「番組の本体画像と並存する並存型ＣＭ画像」を、前記本体画像の中の一部又は前記本体画像の外側周囲近傍部分の少なくとも一部に、前記本体画像と並存的または並行的に、一時的に又は常時、出力するＣＭ並存出力手段と、
番組を視聴するユーザーまたは番組の送信等を行なう操作者からの指示もしくは入力に基づいて、前記番組において「本体画像に代わる挿入型ＣＭ画像」及び／又は「本体画像と並存する並存型ＣＭ画像」が表示されるように、前記ＣＭ挿入手段及び／又は前記ＣＭ並存出力手段を制御するためのＣＭ出力制御手段と、
を備えたことを特徴とする番組送信等装置。
【請求項７】
番組を送信（送信は電波やケーブルテレビ用ケーブルによるものだけでなくインターネットなどの通信回線によるものをも含む）する、又は前記番組を受信または記録した上で出力する、番組送信等装置において、
番組の途中で又はその進行の全体に渡って、少なくとも「番組の本体画像と並存する並存型ＣＭ画像」が、前記本体画像の中の一部又は前記本体画像の外周部の少なくとも一部に、本体画像と並存的または並行的に、一時的に又は常時、出力されるような番組のデータを、送信、生成、加工または出力する番組送信等手段、を含むことを特徴とする番組送信等装置。
【請求項８】
番組を送信（送信は電波やケーブルテレビ用ケーブルによるものだけでなくインターネットなどの通信回線によるものをも含む）する、又は前記番組を受信または記録した上で出力する、番組送信等装置において、
番組の途中で、少なくとも「番組の本体画像に代わる挿入型ＣＭ画像」が、前記本体画像が一時的に中断される形で出力されるような第１の番組のデータを、送信、生成、加工または出力する第１の番組送信等手段と、
前記第１の番組送信等手段により送信等される番組の本体画像の対象と同じものを対象とする本体画像を含む番組であって、その番組の途中で又はその進行の全体に渡って、少なくとも「番組の本体画像と並存する並存型ＣＭ画像」が、前記本体画像の中の一部又は前記本体画像の外周部の少なくとも一部に、本体画像と並存的または並行的に、一時的に又は常時、出力されるような第２の番組のデータを、送信、生成、加工または出力する第２の番組送信等手段と、
を含むことを特徴とする番組送信等装置。
【請求項９】
番組の途中で、少なくとも「番組の本体画像に代わる挿入型ＣＭ画像」を、前記本体画像が一時的に中断される形で出力させるように構成された第１の番組のデータを、ユーザー側に送信（送信は電波やケーブルテレビ用ケーブルによるものだけでなくインターネットなどの通信回線によるものをも含む）する、又は受信または記録した上で画面に出力する、第１の番組送信等手段と、
前記第１の送信等手段により送信される番組の本体画像の対象と同じものを対象とする本体画像を含む番組のデータであって、その番組の途中で又はその進行の全体に渡って、少なくとも「番組の本体画像と並存する並存型ＣＭ画像」を、前記本体画像の中の一部又は前記本体画像の外周部の少なくとも一部に、本体画像と並存的または並行的に、一時的に又は常時、出力させるように構成された第２の番組のデータを、ユーザー側に送信（送信は電波やケーブルテレビ用ケーブルによるものだけでなくインターネットなどの通信回線によるものをも含む）する、又は受信または記録した上で画面に出力する、第２の番組送信等手段と、
前記第１の番組送信等手段により送信等される第１の番組と前記第２の番組送信等手段により送信等される第２の番組とが、略同時に又は相前後して又は互いに関連付けられて視聴ユーザー側に送信または出力されるように、前記第１の番組送信等手段及び／又は前記第２の番組送信等手段を制御する制御手段と、
を含むことを特徴とするＣＭ画像を含む番組の送信システム。
【請求項１０】
番組を送信（送信は電波やケーブルテレビ用ケーブルによるものだけでなくインターネットなどの通信回線によるものをも含む）する、又は前記番組を受信または記録した上で出力する、番組送信等装置において、
前記番組の途中で、少なくとも「番組の本体画像に代わる挿入型ＣＭ画像」を前記本体画像が一時的に中断される形で出力させるＣＭ挿入手段と、
前記番組の途中で又はその進行の全体に渡って、少なくとも「番組の本体画像と並存する並存型ＣＭ画像」を、前記本体画像の中の一部又は前記本体画像の外側周囲近傍部分の少なくとも一部に、前記本体画像と並存的または並行的に、一時的に又は常時、出力させるＣＭ並存出力手段と、
前記番組に関して、前記ＣＭ挿入手段による挿入型ＣＭの挿入を行うか又は前記ＣＭ並存出力手段による並存型ＣＭの出力を行うかを選択または切り替えるための選択等手段と、
を備えたことを特徴とする、番組へのＣＭ提供装置。
【請求項１１】
「スポーツの試合やコンサート会場の中継番組などのような番組」のデータを、送信（送信は電波やケーブルテレビ用ケーブルによるものだけでなくインターネットなどの通信回線によるものをも含む）する、又は前記データを受信または記録した上で出力する、番組送信等装置において、
前記番組の途中で、少なくとも「番組の本体画像に代わる挿入型ＣＭ画像」が前記本体画像が一時的に中断される形で挿入されるように、前記挿入型ＣＭ画像を挿入させることを又はその挿入のタイミングを、指示するＣＭ挿入指示手段と、
前記番組の途中で又はその進行の全体に渡って、少なくとも「番組の本体画像と並存する並存型ＣＭ画像」を、前記本体画像の中の一部または前記本体画像の外側周囲近傍部分の少なくとも一部に、前記本体画像と並行的または並存的に、一時的に又は常時、出力させることを又はその出力のタイミングを、指示するＣＭ並存出力指示手段と、
前記ＣＭ挿入指示手段からの出力、及び／又は前記ＣＭ並存出力指示手段からの出力に基づいて、前記番組において、「本体画像に代わる挿入型ＣＭ画像」及び／又は「本体画像と並存する並存型ＣＭ画像」が表示されるように、前記番組を送信、生成、加工または出力する番組送信等手段と、
を備えたことを特徴とする番組送信等装置。
【請求項１２】
番組又はそのデータを送信（送信は電波やケーブルテレビ用ケーブルによるものだけでなくインターネットなどの通信回線によるものをも含む）する、又は前記番組又はそのデータを受信または記録した上で出力する、番組送信等装置において、
前記番組の途中で、少なくとも「番組の本体画像に代わる挿入型ＣＭ画像」を、前記本体画像を一時的に中断させる形で挿入するＣＭ挿入手段と、
前記番組の途中で又はその進行の全体に渡って、少なくとも「番組の本体画像と並存する並存型ＣＭ画像」を、前記本体画像の中の一部又は前記本体画像の外側周囲近傍部分の少なくとも一部に、前記本体画像と並存的または並行的に、一時的に又は常時、出力するＣＭ並存出力手段と、
番組を視聴するユーザーまたは番組の送信等を行なう操作者からの指示もしくは入力に基づいて、前記番組において「本体画像に代わる挿入型ＣＭ画像」及び／又は「本体画像と並存する並存型ＣＭ画像」が表示されるように、前記ＣＭ挿入手段及び／又は前記ＣＭ並存出力手段を制御するためのＣＭ出力制御手段と、
を備えたことを特徴とする番組送信等装置。
【請求項１３】
番組を送信（送信は電波やケーブルテレビ用ケーブルによるものだけでなくインターネットなどの通信回線によるものをも含む）する、又は前記番組を受信または記録した上で出力する、番組送信等装置において、
番組の途中で又はその進行の全体に渡って、少なくとも「番組の本体画像と並存する並存型ＣＭ画像」が、前記本体画像の中の一部又は前記本体画像の外周部の少なくとも一部に、本体画像と並存的または並行的に、一時的に又は常時、出力されるような番組のデータを、送信、生成、加工または出力する番組送信等手段、を含むことを特徴とする番組送信等装置。
【請求項１４】
番組を送信（送信は電波やケーブルテレビ用ケーブルによるものだけでなくインターネットなどの通信回線によるものをも含む）する、又は前記番組を受信または記録した上で出力する、番組送信等装置において、
番組の途中で、少なくとも「番組の本体画像に代わる挿入型ＣＭ画像」が、前記本体画像が一時的に中断される形で出力されるような第１の番組のデータを、送信、生成、加工または出力する第１の番組送信等手段と、
前記第１の番組送信等手段により送信等される番組の本体画像の対象と同じものを対象とする本体画像を含む番組であって、その番組の途中で又はその進行の全体に渡って、少なくとも「番組の本体画像と並存する並存型ＣＭ画像」が、前記本体画像の中の一部又は前記本体画像の外周部の少なくとも一部に、本体画像と並存的または並行的に、一時的に又は常時、出力されるような第２の番組のデータを、送信、生成、加工または出力する第２の番組送信等手段と、
を含むことを特徴とする番組送信等装置。
【請求項１５】
番組の途中で、少なくとも「番組の本体画像に代わる挿入型ＣＭ画像」を、前記本体画像が一時的に中断される形で出力させるように構成された第１の番組のデータを、ユーザー側に送信（送信は電波やケーブルテレビ用ケーブルによるものだけでなくインターネットなどの通信回線によるものをも含む）する、又は受信または記録した上で画面に出力する、第１の番組送信等手段と、
前記第１の送信等手段により送信される番組の本体画像の対象と同じものを対象とする本体画像を含む番組のデータであって、その番組の途中で又はその進行の全体に渡って、少なくとも「番組の本体画像と並存する並存型ＣＭ画像」を、前記本体画像の中の一部又は前記本体画像の外周部の少なくとも一部に、本体画像と並存的または並行的に、一時的に又は常時、出力させるように構成された第２の番組のデータを、ユーザー側に送信（送信は電波やケーブルテレビ用ケーブルによるものだけでなくインターネットなどの通信回線によるものをも含む）する、又は受信または記録した上で画面に出力する、第２の番組送信等手段と、
前記第１の番組送信等手段により送信等される第１の番組と前記第２の番組送信等手段により送信等される第２の番組とが、略同時に又は相前後して又は互いに関連付けられて視聴ユーザー側に送信または出力されるように、前記第１の番組送信等手段及び／又は前記第２の番組送信等手段を制御する制御手段と、
を含むことを特徴とするＣＭ画像を含む番組の送信システム。
【請求項１６】
番組を送信（送信は電波やケーブルテレビ用ケーブルによるものだけでなくインターネットなどの通信回線によるものをも含む）する、又は前記番組を受信または記録した上で出力する、番組送信等装置において、
前記番組の途中で、少なくとも「番組の本体画像に代わる挿入型ＣＭ画像」を前記本体画像が一時的に中断される形で出力させるＣＭ挿入手段と、
前記番組の途中で又はその進行の全体に渡って、少なくとも「番組の本体画像と並存する並存型ＣＭ画像」を、前記本体画像の中の一部又は前記本体画像の外側周囲近傍部分の少なくとも一部に、前記本体画像と並存的または並行的に、一時的に又は常時、出力させるＣＭ並存出力手段と、
前記番組に関して、前記ＣＭ挿入手段による挿入型ＣＭの挿入を行うか又は前記ＣＭ並存出力手段による並存型ＣＭの出力を行うかを選択または切り替えるための選択等手段と、
を備えたことを特徴とする、番組へのＣＭ提供装置。
【請求項１７】
「スポーツの試合やコンサート会場の中継番組などのような番組」のデータを、送信（送信は電波やケーブルテレビ用ケーブルによるものだけでなくインターネットなどの通信回線によるものをも含む）する、又は前記データを受信または記録した上で出力する、番組送信等装置において、
前記番組の途中で、少なくとも「番組の本体画像に代わる挿入型ＣＭ画像」が前記本体画像が一時的に中断される形で挿入されるように、前記挿入型ＣＭ画像を挿入させることを又はその挿入のタイミングを、指示するＣＭ挿入指示手段と、
前記番組の途中で又はその進行の全体に渡って、少なくとも「番組の本体画像と並存する並存型ＣＭ画像」を、前記本体画像の中の一部または前記本体画像の外側周囲近傍部分の少なくとも一部に、前記本体画像と並行的または並存的に、一時的に又は常時、出力させることを又はその出力のタイミングを、指示するＣＭ並存出力指示手段と、
前記ＣＭ挿入指示手段からの出力、及び／又は前記ＣＭ並存出力指示手段からの出力に基づいて、前記番組において、「本体画像に代わる挿入型ＣＭ画像」及び／又は「本体画像と並存する並存型ＣＭ画像」が表示されるように、前記番組を送信、生成、加工または出力する番組送信等手段と、
を備えたことを特徴とする番組送信等装置。
【請求項１８】
番組又はそのデータを送信（送信は電波やケーブルテレビ用ケーブルによるものだけでなくインターネットなどの通信回線によるものをも含む）する、又は前記番組又はそのデータを受信または記録した上で出力する、番組送信等装置において、
前記番組の途中で、少なくとも「番組の本体画像に代わる挿入型ＣＭ画像」を、前記本体画像を一時的に中断させる形で挿入するＣＭ挿入手段と、
前記番組の途中で又はその進行の全体に渡って、少なくとも「番組の本体画像と並存する並存型ＣＭ画像」を、前記本体画像の中の一部又は前記本体画像の外側周囲近傍部分の少なくとも一部に、前記本体画像と並存的または並行的に、一時的に又は常時、出力するＣＭ並存出力手段と、
番組を視聴するユーザーまたは番組の送信等を行なう操作者からの指示もしくは入力に基づいて、前記番組において「本体画像に代わる挿入型ＣＭ画像」及び／又は「本体画像と並存する並存型ＣＭ画像」が表示されるように、前記ＣＭ挿入手段及び／又は前記ＣＭ並存出力手段を制御するためのＣＭ出力制御手段と、
を備えたことを特徴とする番組送信等装置。
【請求項１９】
番組を送信（送信は電波やケーブルテレビ用ケーブルによるものだけでなくインターネットなどの通信回線によるものをも含む）する、又は前記番組を受信または記録した上で出力する、番組送信等装置において、
番組の途中で又はその進行の全体に渡って、少なくとも「番組の本体画像と並存する並存型ＣＭ画像」が、前記本体画像の中の一部又は前記本体画像の外周部の少なくとも一部に、本体画像と並存的または並行的に、一時的に又は常時、出力されるような番組のデータを、送信、生成、加工または出力する番組送信等手段、を含むことを特徴とする番組送信等装置。
【請求項２０】
番組を送信（送信は電波やケーブルテレビ用ケーブルによるものだけでなくインターネットなどの通信回線によるものをも含む）する、又は前記番組を受信または記録した上で出力する、番組送信等装置において、
番組の途中で、少なくとも「番組の本体画像に代わる挿入型ＣＭ画像」が、前記本体画像が一時的に中断される形で出力されるような第１の番組のデータを、送信、生成、加工または出力する第１の番組送信等手段と、
前記第１の番組送信等手段により送信等される番組の本体画像の対象と同じものを対象とする本体画像を含む番組であって、その番組の途中で又はその進行の全体に渡って、少なくとも「番組の本体画像と並存する並存型ＣＭ画像」が、前記本体画像の中の一部又は前記本体画像の外周部の少なくとも一部に、本体画像と並存的または並行的に、一時的に又は常時、出力されるような第２の番組のデータを、送信、生成、加工または出力する第２の番組送信等手段と、
を含むことを特徴とする番組送信等装置。
【請求項２１】
番組の途中で、少なくとも「番組の本体画像に代わる挿入型ＣＭ画像」を、前記本体画像が一時的に中断される形で出力させるように構成された第１の番組のデータを、ユーザー側に送信（送信は電波やケーブルテレビ用ケーブルによるものだけでなくインターネットなどの通信回線によるものをも含む）する、又は受信または記録した上で画面に出力する、第１の番組送信等手段と、
前記第１の送信等手段により送信される番組の本体画像の対象と同じものを対象とする本体画像を含む番組のデータであって、その番組の途中で又はその進行の全体に渡って、少なくとも「番組の本体画像と並存する並存型ＣＭ画像」を、前記本体画像の中の一部又は前記本体画像の外周部の少なくとも一部に、本体画像と並存的または並行的に、一時的に又は常時、出力させるように構成された第２の番組のデータを、ユーザー側に送信（送信は電波やケーブルテレビ用ケーブルによるものだけでなくインターネットなどの通信回線によるものをも含む）する、又は受信または記録した上で画面に出力する、第２の番組送信等手段と、
前記第１の番組送信等手段により送信等される第１の番組と前記第２の番組送信等手段により送信等される第２の番組とが、略同時に又は相前後して又は互いに関連付けられて視聴ユーザー側に送信または出力されるように、前記第１の番組送信等手段及び／又は前記第２の番組送信等手段を制御する制御手段と、
を含むことを特徴とするＣＭ画像を含む番組の送信システム。
【請求項２２】
番組を送信（送信は電波やケーブルテレビ用ケーブルによるものだけでなくインターネットなどの通信回線によるものをも含む）する、又は前記番組を受信または記録した上で出力する、番組送信等装置において、
前記番組の途中で、少なくとも「番組の本体画像に代わる挿入型ＣＭ画像」を前記本体画像が一時的に中断される形で出力させるＣＭ挿入手段と、
前記番組の途中で又はその進行の全体に渡って、少なくとも「番組の本体画像と並存する並存型ＣＭ画像」を、前記本体画像の中の一部又は前記本体画像の外側周囲近傍部分の少なくとも一部に、前記本体画像と並存的または並行的に、一時的に又は常時、出力させるＣＭ並存出力手段と、
前記番組に関して、前記ＣＭ挿入手段による挿入型ＣＭの挿入を行うか又は前記ＣＭ並存出力手段による並存型ＣＭの出力を行うかを選択または切り替えるための選択等手段と、
を備えたことを特徴とする、番組へのＣＭ提供装置。
【請求項２３】
「スポーツの試合やコンサート会場の中継番組などのような番組」のデータを、送信（送信は電波やケーブルテレビ用ケーブルによるものだけでなくインターネットなどの通信回線によるものをも含む）する、又は前記データを受信または記録した上で出力する、番組送信等装置において、
前記番組の途中で、少なくとも「番組の本体画像に代わる挿入型ＣＭ画像」が前記本体画像が一時的に中断される形で挿入されるように、前記挿入型ＣＭ画像を挿入させることを又はその挿入のタイミングを、指示するＣＭ挿入指示手段と、
前記番組の途中で又はその進行の全体に渡って、少なくとも「番組の本体画像と並存する並存型ＣＭ画像」を、前記本体画像の中の一部または前記本体画像の外側周囲近傍部分の少なくとも一部に、前記本体画像と並行的または並存的に、一時的に又は常時、出力させることを又はその出力のタイミングを、指示するＣＭ並存出力指示手段と、
前記ＣＭ挿入指示手段からの出力、及び／又は前記ＣＭ並存出力指示手段からの出力に基づいて、前記番組において、「本体画像に代わる挿入型ＣＭ画像」及び／又は「本体画像と並存する並存型ＣＭ画像」が表示されるように、前記番組を送信、生成、加工または出力する番組送信等手段と、
を備えたことを特徴とする番組送信等装置。
【請求項２４】
番組又はそのデータを送信（送信は電波やケーブルテレビ用ケーブルによるものだけでなくインターネットなどの通信回線によるものをも含む）する、又は前記番組又はそのデータを受信または記録した上で出力する、番組送信等装置において、
前記番組の途中で、少なくとも「番組の本体画像に代わる挿入型ＣＭ画像」を、前記本体画像を一時的に中断させる形で挿入するＣＭ挿入手段と、
前記番組の途中で又はその進行の全体に渡って、少なくとも「番組の本体画像と並存する並存型ＣＭ画像」を、前記本体画像の中の一部又は前記本体画像の外側周囲近傍部分の少なくとも一部に、前記本体画像と並存的または並行的に、一時的に又は常時、出力するＣＭ並存出力手段と、
番組を視聴するユーザーまたは番組の送信等を行なう操作者からの指示もしくは入力に基づいて、前記番組において「本体画像に代わる挿入型ＣＭ画像」及び／又は「本体画像と並存する並存型ＣＭ画像」が表示されるように、前記ＣＭ挿入手段及び／又は前記ＣＭ並存出力手段を制御するためのＣＭ出力制御手段と、
を備えたことを特徴とする番組送信等装置。